(57)【特許請求の範囲】
【請求項１】
ペットボトル等の飲料用液体収納容器を、上下逆向きかつ頭部のキャップ位置を下方前方位置とする傾斜状態で、ケース本体の上半部に装備するとともに、飲料用液体収納容器のキャップに代えて、空気流入路を形成した開閉栓つき飲料用ボトルキャップを装備して、飲料用液体収納容器からの飲料用液体の流出を容易とした飲料水等供給装置であって、
開閉栓つき飲料用ボトルキャップ（A）の開閉栓（3）を、ケース本体（1）の前面部底面（1a）より突出させるとともに軸心方向に移動自在とし、
開閉栓（3）を軸心方向に移動させる操作レバー（5）を設けて、
操作レバー（5）の通常位置では、開閉栓（3）の内方位置として閉栓状態を維持して、ペットボトル等（W）よりの飲料水等の流出を阻止し、操作レバー（5）の供給位置では、開閉栓（3）の突出位置として開栓状態に変更して、ペットボトル等（W）よりの飲料水等を流出供給することを特徴とする飲料水等供給装置。
【請求項２】
ペットボトル等の飲料用液体収納容器を、上下逆向きかつ頭部のキャップ位置を下方前方位置とする傾斜状態で、ケース本体の上半部に装備するとともに、飲料用液体収納容器のキャップに代えて、空気流入路を形成した開閉栓つき飲料用ボトルキャップを装備して、飲料用液体収納容器からの飲料用液体の流出を容易とした飲料水等供給装置であって、
開閉栓つき飲料用ボトルキャップ（A）は、ペットボトル等の頭部と着脱自在なキャップ本体（2）と、開閉栓（3）とで構成し、開閉栓（3）の突出位置では開栓状態とし、開閉栓（3）の内方位置では閉栓状態とし、
キャップ本体（2）は、筒状で、内部にペットボトルの頭部が固定される本体部（21）と、第１段筒部（22）、第2段筒部（23）と、第2段筒部（23）の下部より中心方向へ突出させた支持片（24）とを有し、該支持片（24）を、栓体（25）の筒状部（26）の下端（27）とを一体化し、複数個の水平貫通孔（4）か゛前記第2段筒部（23）に形成され、
開閉栓（3）は、キャップ本体（2）の栓体（25）と篏合する円形窓（31）を有するキャップ形状で、外周壁（32）と、第1垂下壁（33）と、第2垂下壁（34）とを有し、
前記水平貫通孔（4）により、開閉栓（3）の突出位置における開栓状態において、空気流入路（H）を形成し、
その先端部の上下かつ前後方向の移動操作により、開閉栓（3）を軸心方向に移動させる操作レバー（5）を設けて、
開閉栓付き飲料用ボトルキャップAは、操作レバー（5）の通常位置では、開閉栓（3）を内方位置として閉栓状態として、ペットボトル等（W）よりの飲料水等の流出を阻止し、操作レバー（5）の操作により、開閉栓（3）を突出位置として開栓状態として、ペットボトル等（W）よりの飲料水等を流出供給することを特徴とする、請求項1に記載する飲料水等供給装置。
【請求項３】
飲料用液体収納容器のペットボトルを、上下逆向きかつ頭部のキャップ位置を下方前方位置とする傾斜状態で、ケース本体の上半部に装備するとともに、飲料用液体収納容器のペットボトルのキャップに代えて、空気流入路を形成した開閉栓つき飲料用ボトルキャップを装備して、飲料用液体収納容器からの飲料用液体の流出を容易とした飲料水等供給装置であって、
開閉栓つき飲料用ボトルキャップ（A）の開閉栓（3）を、ケース本体（1）の前面部底面（1a）より露出自在とするとともに、  開閉栓（3）を軸心方向に移動させる操作レバー（5）を設けて、操作レバー（5）の通常位置では、開閉栓（3）の内方位置として閉栓状態を維持して、ペットボトル等Wよりの飲料水等の流出を阻止し、操作レバー（5）の供給位置では、開閉栓（3）の突出位置として開栓状態に変更して、ペットボトル等（W）よりの飲料水等を流出供給するとともに、
天面カバー（6）の裏面より垂下し下方へ突出する押圧体（40）を設け、
内ケース11の収納空間に収容したペットボトル（W）の首部と接当する支持体（13）を設け、
収容した飲料容器のペットボトル（W）を、支持体（13）と押圧体（40）とで挟持することで、下方および上方より押圧力を受けて、飲料容器のペットボトル（W）の上下揺動を阻止することを特徴とする飲料水等供給装置。
【請求項４】
開閉栓（3）に、円形窓（31）を覆う流下誘導カバー（35）を突設したことを特徴とする請求項1、3に記載する飲料水等供給装置。
【発明の詳細な説明】
【技術分野】
【０００１】本発明は、硬質合成樹脂製ボトル、ペットボトル等を飲料用液体収納容器とする飲料水等供給装置に関するものである。
【背景技術】
【０００２】飲料用液体収納容器として、硬質合成樹脂製ボトル、ペットボトル等が広く使用されている。ペットボトル等に対する給水手段として飲料用ボトルキャップが公知である。
【先行技術文献】
【特許文献】
【０００３】
【特許文献１】登録実用新案公報第3057729号「飲料用ボトルキャップ」
【発明の概要】
【発明が解決しようとする課題】
【０００４】  特許文献1の登録実用新案公報第3057729号「飲料用ボトルキャップ」は、飲料用ボトルに取付けることで、飲み口を開閉自在とした飲料用ボトルキャップであり、飲み口栓に塵や雑菌が付着するのを防止でき、飲み口に直接接触することなく、衛生的に開栓・閉栓することができる。【０００５】しかし、上記の飲料用ボトルキャップは、使用者が直接口をつけて吸飲するためのものであり、飲み口を下に向けても、飲料水のなめらかな流出は得られない問題点がある。【０００６】  本願発明は、上記の飲料用ボトルキャップを取付けた飲料用ボトルにおいて、飲料用ボトルに収容されている飲料水等の流下供給をより円滑にすることを課題とする。  さらに、事務室、来客応接室等の多数の事務員、来客者等が在室する箇所に飲料水等供給装置を設置するにあたり、単一/または複数のペットボトル等を使用して、使用者を特定する必要をなくし多数の人が適宜利用して飲料水等の提供を受けることのできる環境を提供することを目的とする。
【課題を解決するための手段】
【０００７】
本願第1発明（請求項1の発明）は、ペットボトル等の飲料用液体収納容器を、上下逆向きかつ頭部のキャップ位置を下方前方位置とする傾斜状態で、ケース本体の上半部に装備するとともに、飲料用液体収納容器のキャップに代えて、空気流入路を形成した開閉栓つき飲料用ボトルキャップを装備して、飲料用液体収納容器からの飲料用液体の流出を容易とした飲料水等供給装置であって、開閉栓つき飲料用ボトルキャップ（A）の開閉栓（3）を、ケース本体（1）の前面部底面（1a）り突出させるとともに軸心方向に移動自在とし、開閉栓（3）を軸心方向に移動させる操作レバー（5）を設けて、操作レバー（5）の通常位置では、開閉栓（3）の内方位置として閉栓状態を維持して、ペットボトル等（W）よりの飲料水等の流出を阻止し、操作レバー（5）の供給位置では、開閉栓（3）の突出位置として開栓状態に変更して、ペットボトル等（W）よりの飲料水等を流出供給することを特徴とする。
本願第2発明（請求項3の発明）は、開閉栓つき飲料用ボトルキャップ（A）の開閉栓（3）を、ケース本体（1）の前面部底面（1a）より露出自在とするとともに、  開閉栓（3）を軸心方向に移動させる操作レバー（5）を設けて、操作レバー（5）の通常位置では、開閉栓（3）の内方位置として閉栓状態を維持して、ペットボトル等Wよりの飲料水等の流出を阻止し、操作レバー（5）の供給位置では、開閉栓（3）の突出位置として開栓状態に変更して、ペットボトル等（W）よりの飲料水等を流出供給するとともに、天面カバー（6）の裏面より垂下し下方へ突出する押圧体（40）を設け、内ケース11の収納空間に収容したペットボトル（W）の首部と接当する支持体（13）を設け、収容した飲料容器のペットボトル（W）を、支持体（13）と押圧体（40）とで挟持することで、下方および上方より押圧力を受けて、飲料容器のペットボトル（W）の上下揺動を阻止することを特徴とする。
【発明の効果】
【０００８】  本願発明は、ペットボトル等の飲料用液体収納容器を、上下逆向きかつ下方前方向き傾斜状態で装備したことで、飲料用液体収納容器内の飲料用液体の全量を確実に流出する効果を有する。  さらに、開閉栓つき飲料用ボトルキャップに、空気流入路を形成したことで、飲料用液体の流出に際し、飲料用液体収納容器(ポットペトル等)の空気溜への空気の供給を容易とすることで、飲料用液体収納容器(ポットペトル等)の飲料用液体の流出を促進する効果を有する。  また、飲料用液体収納容器(ペットボトル等)の傾斜角度について、首部の傾斜を水平以上の角度をなるように設定することで、残量を生じることなく内部の飲料水等が流出することができて、全量を有効消費できる効果を有する。
【図面の簡単な説明】
【０００９】
【図１】本願発明を実施した飲料水等供給装置の大要を説明する縦断面略図。
【図２】同じく要部の部分縦断面図。
【図３】図1のS１-S１線による横断面図。
【図４】キャップ本体を示し、a図は縦断面図、b図は平面図、c図はS2-S2線による横断面図。
【図５】開閉栓の縦断面図。
【図６】開閉栓の閉栓状態で示す飲料用ボトルキャップの縦断面図。
【図７】開閉栓の開栓状態で示す飲料用ボトルキャップの縦断面図。
【図８】本願発明の第2実施例を示す飲料水等供給装置の縦断面略図。
【図９】図8のＳ2-S2線による縦断面図。
【発明を実施するための形態】
【００１０】本発明の飲料水等供給装置は、ペットボトル等の飲料用液体収納容器を、箱型ケースの上半部の収納部1に、上下逆向きかつ頭部のキャップ位置を下方前方位置とする傾斜状態で収容して、ペットボトル等の頭部のキャップを、箱型ケースの前面部底面より露出した状態でペットボトル等を収納している。
【００１１】さらに、ペットボトル等を収納するに先立って、飲料用液体収納容器(ペットボトル等)のキャップを、空気流入路を形成した開閉栓つき飲料用ボトルキャップと取替えるものである。
【００１２】ペットボトル等の下方前方位置とする傾斜状態について、垂直方向に対する傾斜角度について、ペットボトル等の傾斜により、空気溜の位置が垂直位置に対しての移動量が大となることで、空気溜の下端とペットボトル等の飲み口との距離が短縮される。したがって、傾斜角度の大なることが望ましい。しかい、残量を生じることなく容器内の全量を消費するためには、ペットボトル等の首部の傾斜角よりも大なる傾斜角が必要である。すなわち、ペットボトル等の首部のみとなった状態では、首部か水平状態であると流出が不可能であることで、ペットボトル等の首部傾斜角が水平以上の角度を必要とする。よって、実施例の傾斜角に限定されるものではないが、上記の条件を満足する範囲に限定される必要がある。
【００１３】[第1実施例]図1、図2を参照して、箱型ケース1の内部に、上半部に位置して、ペットボトル等の収納部10を形成する。ペットボトル等Wは、上下逆向きかつ頭部のキャップ位置を下方前方位置とする傾斜状態で収容されており、ペットボトル等Wの頭部のキャップAを、箱型ケース1の前面部底面1aより露出している。なお、実施例においては、供給するペットボトル等Wを2本とする。すなわち、左右並行配置でペットボトル等Wを収容することで、同時/または択一式で2種の飲料水等を供給可能とする。
【００１４】
さらに、図３を参照して、予備のペットボトル等W2をその頭部を上方向として、供給用のペットボトル等Wの後方に位置させて収容して、合計4本のペットボトル等をケース1内に収容している。
図１ないし図3において、6は断熱材、11は内ケース、11aは内ケース11の前面底部、12は天面カバー、13はペットボトル等の頭部支持体、15は冷却/加熱プレート、17は保冷/保温プレート、19はコンプレッサー、20は熱交換フインである。
【００１５】つぎに、図4ないし図7を参照して、前記開閉栓つき飲料用ボトルキャップAの実施例を、説明する。
【００１６】開閉栓つき飲料用ボトルキャップAは、ペットボトル等の頭部と着脱自在なキャップ本体2と、開閉栓3とで構成し、開閉栓3の突出位置では開栓状態とし、開閉栓3の内方位置では閉栓状態とする。
【００１７】キャップ本体2の一部に複数個の水平貫通孔4を形成して、開閉栓3の突出位置の開栓状態において、空気流入路Hを形成する。
【００１８】キャップ本体2は、図4を参照して、筒状で、内部にペットボトルの頭部が固定される本体部21と、その上方に第１段筒部22、その上方に第2段筒部23が形成されている。第2段筒部23の下部より中心方向へ支持片24を突出させ、該支持片24と、栓体25の筒状部26の下端27とを一体化した構成とする。
【００１９】栓体25の筒状部26と、第2段筒部23との間で、係合空間28を形成している。前記第2段筒部23に、複数個の水平貫通孔4形成している。
【００２０】開閉栓3は、図5を参照して、天面中央に、キャップ本体2の栓体25と篏合する円形窓31を有するキャップ形状で、外周壁32と、第1垂下壁33と、第2垂下壁34とが、外周壁32の内方に形成されている。開閉栓3には、円形窓31を覆う流下誘導カバー35が突出している。
【００２１】図6ぉょび図7は、キャップ本体2に開閉栓3を一体化した状態を示し、図6は閉栓状態（開閉栓3の内方位置）を示し、キャップ本体2の栓体25はと円形窓31とは篏合している。図7は開栓状態（開閉栓3の突出位置）を示し、キャップ本体2の栓体25は、円形窓31との間に空間が存在するとともに、水平貫通孔4を通過する空気流入路Hが形成されている。
【００２２】図1および図2を参照して、開閉栓3と一体化した操作レバー5を設ける。
【００２３】開閉栓つき飲料用ボトルキャップAは、操作レバー5の通常位置では、閉栓状態（開閉栓3の内方位置）として、ペットボトル等Wよりの飲料水等の流出を阻止する。
【００２４】操作レバー5をイ方向（図１）へ操作することにより、開閉栓つき飲料用ボトルキャップＡを開栓状態（開閉栓3の突出位置）として、ペットボトル等Ｗよりの飲料水等の流出する。
【００２５】［第2実施例］以下、図8および図9に示す本願発明の第2実施例を説明する。
【００２６】ペットポトル収納室（冷蔵・加熱室内）1について、天面カバー12の裏面より突出させた押圧体40を設けて、収納空間内の飲料容器Ｗの底面を押圧する構造とする。
【００２７】前記押圧体40は、天面カバー12の裏面より垂下し下方へ突出する形状で、天面カバー12と一体化して構成される合成樹脂成形品または金属成形品である。
【００２８】収納空間に飲料容器(ペットボトル)Ｗを収納し天面カバー12を所定位置に固定したセット状態では、飲料容器(ペットボトル)Ｗの底面Ｗaに、押圧体40の下端41が接当して、飲料容器(ペットボトル)Ｗは押圧体40により下方に向けて押圧されている。
【００２９】収納空間に収容した飲料容器(ペットボトル)Ｗの首部は、内ケース11と一体の支持体13とに接当した状態で、支持されている。したがって、収納空間に収容した飲料容器(ペットボトル)Ｗは、支持体13と押圧体40とで挟持されて、下方および上方より押圧力を受け、上下揺動は阻止されている。
【００３０】開閉栓3と一体化した操作レバー5を設け、操作レバー5の通常位置では、閉栓状態（開閉栓3の内方位置）として、ペットボトル等Ｗよりの飲料水等の流出を阻止し、操作レバー5を操作することにより、開栓状態（開閉栓3の突出位置）として、ペットボトル等Ｗよりの飲料水等の流出することは、第1実施例と同様であるが、この際に、飲料容器(ペットボトル)Ｗを上昇または下降の上下動の作用力を生じるものであるが、収納空間の飲料容器(ペットボトル)Ｗは収納空間内に固定されていることで、飲料容器(ペットボトル)Ｗの上下揺動は確実に阻止される。
【産業上の利用可能性】
【００３１】  本願発明は、ペットポトル等に収容される飲料用液体の消費を促進することで、産業の発展に寄与するものである。
【符号の説明】
【００３２】1  本体ケース2  キャップ本体3  開閉栓4            水平貫通孔5  操作レバー11            内ケース12            天面ケース13  支持体40            押圧体 
【図１】
0006567840.tif 000002
【図２】
0006567840.tif 000003
【図３】
0006567840.tif 000004
【図４】
0006567840.tif 000005
【図５】
0006567840.tif 000006
【図６】
0006567840.tif 000007
【図７】
0006567840.tif 000008
【図８】
0006567840.tif 000009
【図９】
0006567840.tif 000010